(57)【特許請求の範囲】
【請求項１】
脂肪酸モノエタノールアミドを構成する脂肪酸として
炭素数１２未満の飽和脂肪酸：１５％以下
炭素数１２の飽和脂肪酸    ：４５〜５５％
炭素数１４の飽和脂肪酸    ：１２〜１７％
炭素数１８の不飽和脂肪酸
（不飽和数：１）          ：１２〜１７％
（ただし、パーム核脂肪酸は除く）
の組成を有する脂肪酸モノエタノールアミドを含有することを特徴とする剤形が液状、ペースト状の洗浄剤組成物。
【発明の詳細な説明】
【０００１】
【発明の属する技術分野】
本発明は洗浄剤組成物に関し、さらに詳しくは特定の脂肪酸組成を有する脂肪酸モノエタノールアミドを含むことを特徴とする増粘性、起泡性、洗浄力および低温安定性に優れた洗浄剤組成物に関するものである。
【０００２】
【従来の技術】
従来、シャンプーや台所洗剤などの主成分として、直鎖アルキルベンゼンスルホン酸塩、アルキルサルフェートやアルキルエーテルサルフェートなどの界面活性剤が用いられており、更にこれらの主成分を補助する目的で脂肪酸モノエタノールアミドが広く用いられている。
【０００４】
上記脂肪酸モノエタノールアミドを構成する脂肪酸としては、天然のヤシ油から得られるヤシ油脂肪酸が最も多く用いられている。ところが、ヤシ油脂肪酸モノエタノールアミドは、起泡性、洗浄力、低温安定性には優れているが、かならずしも増粘性が十分でなく、希望する粘度を有する製品を得るのが難しい場合がある。そこで、当業者間では、炭素数が１２，１４，１６，１８を主留とする脂肪酸を得て、これらの分別脂肪酸からのモノエタノールアミドを利用するなどしているが、前記の全ての条件を満たすことはできない。
【０００５】
すなわち、炭素数１２の脂肪酸を主留とする脂肪酸モノエタノールアミドは、起泡力、洗浄力に優れているが低温安定性が十分でない。一方、炭素数１４以上の脂肪酸を主留とする脂肪酸モノエタノールアミドは、増粘性は強いが、起泡力、洗浄力、低温安定性が悪くなる。
【０００６】
【発明が解決しようとする課題】
本発明の目的は、増粘性、起泡性、洗浄力、低温安定性の優れた脂肪酸モノエタノールアミドを含有する剤形が液状、ペースト状の洗浄剤組成物を提供することである。
【０００７】
【課題を解決するための手段】
上記課題を解決するため、本発明者等が鋭意検討の結果、ある特定範囲の脂肪酸組成を有する脂肪酸モノエタノールアミドのみが上記課題解決に有効であることを見い出し本発明を解決するに至った。
【０００８】
すなわち、本発明は脂肪酸モノエタノールアミドを構成する脂肪酸として
炭素数１２未満の飽和脂肪酸：１５％以下
炭素数１２の飽和脂肪酸    ：４５〜５５％
炭素数１４の飽和脂肪酸    ：１２〜１７％
炭素数１８の不飽和脂肪酸
（不飽和数：１）          ：１２〜１７％
（ただし、パーム核脂肪酸は除く）
の組成を有する脂肪酸モノエタノールアミドを含有することを特徴とする剤形が液状、ペースト状の洗浄剤組成物である。
【０００９】
【発明の実施の形態】
本発明における脂肪酸モノエタノールアミドの脂肪酸組成は、上記割合の混合脂肪酸系のものを用いることが好ましく、この割合を外れると以下のような不都合が生じる。
すなわち、
炭素数１２未満の脂肪酸が１５％を超えると増粘性が悪くなる。
炭素数１２の脂肪酸が４５％未満では増粘性が劣り、５５％を超えると低温安定性が低下してしまう。
炭素数１４の飽和脂肪酸が１２％未満では増粘性が劣り、１７％を超えると低温安定性が悪くなる。
炭素数１８の不飽和脂肪酸が１２％未満では増粘性が劣り、１７％以上では低温安定性が悪くなる。
【００１０】
本発明に用いられる脂肪酸モノエタノールアミドを製造するには油や脂肪酸からの直接反応法、あるいは脂肪酸の低級アルコールエステル法等、どのような方法でも良い。
脂肪酸の調製は、単一組成の脂肪酸を本発明の範囲に混合してもよく、また天然の油を用いてこの範囲内にしてもよい。また、脂肪酸とモノエタノールアミンの反応モル比は、１：１または１：２のいずれでもよい。
本発明の洗浄剤組成物には、その目的によりどのようなアニオン界面活性剤、ノニオン界面活性剤、両性界面活性剤を用いることが出来る。
また、必要に応じて、エタノール、尿素、多価アルコール類、エデト酸等のキレート剤、クエン酸等のｐＨ調整剤、香料、着色剤、アラントイン、グリチルリチン酸等の抗炎症剤、殺菌剤、防腐剤等を用いることが出来る。
本発明の洗浄剤組成物の剤型は液体又は、ペースト状の形状に用いることが出来る。
【００１１】
【実施例】
以下、実施例により本発明を更に詳細に説明する。
第１表に示される脂肪酸とモノエタノールアミンから合成した脂肪酸モノエタノールアミド（脂肪酸とモノエタノールアミンのモル比は１：１）のそれぞれを以下に示す試験処方に従い台所洗剤を調製し、その起泡力、洗浄力、粘度、低温安定性を測定した。結果を第１表中に示す。なお、試験方法は以下の方法を採用した。
【００１２】
起泡力
ロス・マイルス法  濃度０．２５％  ４０℃
洗浄力
リーナッツ法    ＪＩＳ  Ｋ３３７０  濃度０．０３％  ３０℃
粘度
Ｂ型粘度計    ２５℃
低温安定性
０℃に３日間放置した。
○・・・透明均一
△・・・少し白濁
×・・・白濁または分離
試験処方
直鎖アルキルベンゼンスルホン酸ナトリウム        １６％
脂肪酸モノエタノールアミド                        ４
クエン酸                            ｐＨ＝７とする量
水                                                残
【００１３】
【表１】
0003833736.tif 000002
【００１４】
第１表の結果から、実施例１〜３の各液体洗浄剤は、増粘性、起泡力、洗浄力、低温安定性のいずれにも優れたものであることが分かる。
【００１５】
実施例４
液体台所洗剤
ポリオキシエチレン（３）ラウリルエーテル硫酸ナトリウム（２５％）  ４０％
ヤシ油脂肪酸ジエタノールアマイド（１：１型）                        ２
ポリオキシエチレン（５）ヤシ油脂肪酸モノエタノールアマイド          ２
脂肪酸モノエタノールアミド（実施例１と同様のもの）                  ３
クエン酸                                              ｐＨ＝７とする量
水                                                                  残
【００１７】
実施例５
液体シャンプー
ラウロイルメチル−β−アラニンナトリウム（３０％）       ２０％
ラウロイルサルコシンナトリウム（３０％）                ２０
ラウロイルグルタミン酸モノナトリウム                      ５
脂肪酸モノエタノールアミド（実施例２と同様のもの）        ２
エチレングリコールジステアレート                          １
エデト酸塩                                              ０．１
メチルパラベン                                          ０．１
クエン酸                                      ｐＨ＝７とする量
水                                                          残
【００１８】
実施例６
液体ボディシャンプー
ヤシ油脂肪酸酸カリウム（４０％）                            ３０．０％
２−アルキル−Ｎ−カルボキシメチル−Ｎ−ヒドロキシエチル    １０．０
−イミダゾリニウムベタイン（３０％）
ヤシ油アルキル−Ｎ−カルボキシエチル−Ｎ−ヒドロキシエチル  １０．０
−イミダゾリニウムベタイン（３０％）
ラウリン酸アミドプロピルベタイン（３０％）                    ５．０
脂肪酸モノエタノールアミド（実施例２と同様のもの）            ２
エデト酸塩                                                    ０．１
メチルパラベン                                                ０．１
クエン酸                                            ｐＨ＝７とする量
水                                                                残
【００１９】
実施例４〜６の各洗浄剤は、増粘性、起泡力、洗浄力、低温安定性のいずれにも優れていた。
【００２０】
【発明の効果】
本発明によって提供される特定の脂肪酸組成を持つ脂肪酸モノエタノールアミドを用いることにより、増粘性、起泡力、洗浄力、低温安定性のいずれにも優れた剤形が液状、ペースト状の洗浄剤組成物を得ることが出来る。